(57)【要約】無線デバイス（390, 590, 790）にサービスを行う、第１の無線アクセスネットワークのサービング無線基地局（310, 510, 720）における方法であって、‐測定報告を受信する工程と、ここで、前記測定報告は、他の無線アクセスネットワーク内の無線基地局（321, 521, 711）から前記無線デバイス（390, 590, 790）によって受信される参照信号に基づくものであり、‐前記他の無線アクセスネットワーク内の前記無線基地局（321, 521, 711）を示す識別要求を、前記サービング無線基地局（310, 510, 720）の少なくとも１つの隣接無線基地局（311, 312, 320, 330, 522, 512, 530, 721, 722, 730）へ送信する工程と、‐受信された識別情報に基づいて、前記他の無線アクセスネットワーク内の前記無線基地局（321, 521, 711）の識別に関する情報を使用して隣接関係を確立する工程と、を含む又は開始する、方法。
2021505053.tif 000002
【特許請求の範囲】
【請求項１】
無線デバイス（390, 590, 790）にサービスを行う、第１の無線アクセスネットワークのサービング無線基地局（310, 510, 720）における方法であって、
‐測定報告を受信する工程と、ここで、前記測定報告は、他の無線アクセスネットワーク内の無線基地局（321, 521, 711）から前記無線デバイス（390, 590, 790）によって受信される参照信号に基づくものであり、
‐前記他の無線アクセスネットワーク内の前記無線基地局（321, 521, 711）を示す識別要求を、前記サービング無線基地局（310, 510, 720）の少なくとも１つの隣接無線基地局（311, 312, 320, 330, 522, 512, 530, 721, 722, 730）へ送信する工程と、
‐受信された識別情報に基づいて、前記他の無線アクセスネットワーク内の前記無線基地局（321, 521, 711）の識別に関する情報を使用して隣接関係を確立する工程と、
を含む又は開始する、方法。
【請求項２】
請求項１に記載の方法であって、前記他の無線アクセスネットワーク内の前記無線基地局（321, 521, 711）の識別に関する前記情報は、トランスポートネットワークレイヤアドレスである、方法。
【請求項３】
請求項１又は２に記載の方法であって、前記第１の無線アクセスネットワークの無線アクセス技術は、前記他の無線アクセスネットワークの無線アクセス技術とは異なる、方法。
【請求項４】
請求項１から３のいずれか１項に記載の方法であって、前記サービング無線基地局（310, 510, 720）は、前記隣接関係情報の更新を求める要求を、前記他の無線アクセスネットワークの前記無線基地局（321, 521, 711）へ送信する、方法。
【請求項５】
請求項１から４のいずれか１項に記載の方法であって、前記無線デバイス（390, 590, 790）は、第２の無線アクセスネットワークの第２の無線基地局（312, 512, 721）によるサービスを更に受ける、方法。
【請求項６】
請求項５に記載の方法であって、前記第２の無線基地局（312, 512, 721）は、ユーザデータで前記無線デバイス（390, 590, 790）にサービスを行い、前記サービング無線基地局（310, 510, 720）は、制御データのみで前記無線デバイス（390, 590, 790）にサービスを行う、方法。
【請求項７】
請求項５又は６に記載の方法であって、前記測定報告は、前記第２の無線基地局（312, 512, 721）から受信される、方法。
【請求項８】
請求項５から７のいずれか１項に記載の方法であって、前記第１の無線アクセスネットワークの無線アクセス技術は、前記第２の無線アクセスネットワークの無線アクセス技術とは異なる、方法。
【請求項９】
請求項５から８のいずれか１項に記載の方法であって、前記サービング無線基地局（310, 510, 720）は、前記隣接関係情報の更新を求める要求を、前記第２の無線基地局（312, 512, 721）へ送信する、方法。
【請求項１０】
請求項１から９のいずれか１項に記載の方法であって、前記サービング無線基地局（310, 510, 720）と前記無線デバイス（390, 590, 790）との間のコネクションは、無線リソース制御（ＲＲＣ）コネクションである、方法。
【請求項１１】
請求項１から１０のいずれか１項に記載の方法であって、前記他の無線アクセスネットワーク内の前記無線基地局（321, 521, 711）が、前記少なくとも１つの隣接無線基地局（311, 312, 320, 330, 522, 512, 530, 721, 722, 730）に知られていない場合、前記サービング無線基地局（310, 510, 720）は前記少なくとも１つの隣接無線基地局（311, 312, 320, 330, 522, 512, 530, 721, 722, 730）から否定応答を受信する、方法。
【請求項１２】
請求項１から１１のいずれか１項に記載の方法であって、前記無線デバイス（390, 590, 790）が、前記サービング無線基地局（310, 510, 720）からターゲット無線基地局（730, 740, 710）へハンドオーバされる場合、前記他の無線アクセスネットワーク内の前記無線基地局（321, 521, 711）を示す拡張識別要求が前記ターゲット無線基地局（730, 740, 710）へ送信され、前記拡張識別要求は、前記サービング無線基地局（310, 510, 720）のアドレスを含む、方法。
【請求項１３】
請求項１２に記載の方法であって、前記拡張識別要求は、前記サービング無線基地局（310, 510, 720）から前記ターゲット無線基地局（730, 740, 710）への前記無線デバイス（390, 590, 790）の前記ハンドオーバが行われている間に送信される、方法。
【請求項１４】
請求項１２又は１３に記載の方法であって、前記サービング無線基地局（310, 510, 720）の前記少なくとも１つの隣接無線基地局（311, 312, 320, 330, 522, 512, 530, 721, 722, 730）から前記識別要求に対する応答として否定応答が受信された場合にのみ、前記拡張識別要求が前記ターゲット無線基地局（730, 740, 710）へ送信される、方法。
【請求項１５】
請求項１２から１４のいずれか１項に記載の方法であって、前記方法は、前記無線デバイス（390, 590, 790）に関連付けられたタイマーを開始する更なる工程と、前記タイマーが満了すると前記拡張情報要求を送信する更なる工程と、を含む、方法。
【請求項１６】
請求項１５に記載の方法であって、前記拡張情報要求は実際のタイマー値を含む、方法。
【請求項１７】
請求項１２から１６のいずれか１項に記載の方法であって、前記方法は、前記無線デバイス（390, 590, 790）が前記サービング無線基地局（310, 510, 720）から前記ターゲット無線基地局（730, 740, 710）へハンドオーバされた場合にカウンタをインクリメント又はデクリメントする更なる工程を含み、前記カウンタが所定値を超えていない場合にのみ、前記拡張情報要求が送信される、方法。
【請求項１８】
請求項１２から１７のいずれか１項に記載の方法であって、前記拡張識別要求は、前記ターゲット無線基地局（730, 740, 710）による、その隣接無線基地局の少なくとも１つへの識別要求の送信を開始するように適合される、方法。
【請求項１９】
請求項１から１８のいずれか１項に記載の方法であって、前記測定報告は、前記他の無線基地局内の前記無線基地局（321, 521, 711）の非固有のアイデンティティを含み、前記方法は、
‐前記サービング無線基地局（310, 510, 720）の前記少なくとも１つの隣接無線基地局（311, 312, 320, 330, 522, 512, 530, 721, 722, 730）から、前記少なくとも１つの隣接無線基地局（311, 312, 320, 330, 522, 512, 530, 721, 722, 730）に関連付けられた、前記無線基地局の非固有のアイデンティティを受信する工程と、
‐前記受信された測定報告において示されたアイデンティティと同じ非固有のアイデンティティを報告する前記隣接無線基地局へ、前記識別要求を送信する工程と、
を更に含む又は開始する、方法。
【請求項２０】
請求項１９に記載の方法であって、前記少なくとも１つの隣接無線基地局（311, 312, 320, 330, 522, 512, 530, 721, 722, 730）から非固有のアイデンティティを受信する前記工程は、要求メッセージを介して前記サービング無線基地局（310, 510, 720）によってトリガされる、方法。
【請求項２１】
請求項２０に記載の方法であって、前記要求メッセージは、前記少なくとも１つの隣接無線基地局（311, 312, 320, 330, 522, 512, 530, 721, 722, 730）の更なる隣接無線基地局へ転送される、方法。
【請求項２２】
請求項１９に記載の方法であって、前記サービング無線基地局（310, 510, 720）は、前記少なくとも１つの隣接無線基地局（311, 312, 320, 330, 522, 512, 530, 721, 722, 730）に関連付けられた、無線基地局の非固有のアイデンティティを定期的に受信する、方法。
【請求項２３】
無線アクセスネットワークのターゲット無線基地局における方法であって、無線デバイス（390, 590, 790）がソース無線基地局から前記ターゲット無線基地局にハンドオーバされ、
‐他の無線アクセスネットワーク内の無線基地局（321, 521, 711）を示す拡張識別要求を、前記ソース無線基地局から受信する工程、ここで、前記拡張識別要求は、前記他の無線アクセスネットワーク内の前記無線基地局（321, 521, 711）の識別を要求している無線基地局のアドレスを含み、
‐前記他の無線アクセスネットワーク内の前記無線基地局（321, 521, 711）が、前記ターゲット無線基地局によって隣接無線基地局として知られている場合、前記他の無線アクセスネットワーク内の前記無線基地局（321, 521, 711）の識別情報を、前記他の無線アクセスネットワーク内の前記無線基地局（321, 521, 711）の識別を要求している前記無線基地局へ送信する工程、又は
‐前記他の無線アクセスネットワーク内の前記無線基地局（321, 521, 711）が前記ターゲット無線基地局によって隣接基地局として知られておらず、かつ、前記無線デバイス（390, 590, 790）が、他のターゲット無線基地局にハンドオーバされる場合に、当該他のターゲット無線基地局へ前記拡張識別要求を転送する工程、を含む、方法。
【請求項２４】
請求項２３に記載の方法であって、前記拡張識別要求はタイマー値を含み、前記方法は、前記タイマー値をカウントダウンする更なる工程と、前記タイマーが満了していない場合に、実際の前記タイマー値を含む前記拡張識別要求を、前記他の無線基地局へ転送する更なる工程と、を含む、方法。
【請求項２５】
請求項２４に記載の方法であって、前記方法は、前記他の無線アクセスネットワーク内の前記基地局（321, 521, 711）の前記要求された識別情報が受信された場合に前記タイマーを停止する更なるステップを含む、方法。
【請求項２６】
請求項２３から２５のいずれか１項に記載の方法であって、前記方法は、
前記他の無線アクセスネットワーク内の前記無線基地局（321, 521, 711）が、前記ターゲット無線基地局によって隣接無線基地局として知られていない場合、前記他の無線アクセスネットワーク内の前記無線基地局（321, 521, 711）を示す識別要求を、前記ターゲット無線基地局の少なくとも１つの隣接無線基地局へ送信する更なる工程と、
前記他の無線アクセスネットワーク内の前記無線基地局（321, 521, 711）の前記要求された識別情報の受信に応じて、前記他の無線アクセスネットワーク内の前記無線基地局（321, 521, 711）の前記識別を要求している前記無線基地局へ、前記他の無線アクセスネットワーク内の前記無線基地局（321, 521, 711）の前記識別情報を送信する更なる工程と、を含む、方法。
【請求項２７】
請求項２３から２６のいずれか１項に記載の方法であって、前記拡張識別要求は、前記ハンドオーバプロセスが行われている間に送信される、方法。
【請求項２８】
無線デバイス（390, 590, 790）にサービスを行う、第１の無線アクセスネットワークのサービング無線基地局であって、前記サービング無線基地局は、
‐測定報告を受信することと、ここで、前記測定報告は、他の無線アクセスネットワーク内の無線基地局（321, 521, 711）から前記無線デバイス（390, 590, 790）によって受信される参照信号に基づくものであり、
‐前記他の無線アクセスネットワーク内の前記無線基地局（321, 521, 711）を示す識別要求を、前記サービング無線基地局の少なくとも１つの隣接無線基地局へ送信することと、
‐受信された識別情報に基づいて、前記他の無線アクセスネットワーク内の前記無線基地局（321, 521, 711）の識別に関する情報を使用して隣接関係を確立することと、
を開始するように構成される、サービング無線基地局。
【請求項２９】
請求項２８に記載のサービング無線基地局であって、請求項２から２２のいずれか１項に記載の方法を実行するように構成される、サービング無線基地局。
【請求項３０】
無線アクセスネットワークのターゲット無線基地局であって、無線デバイス（390, 590, 790）がソース無線基地局から前記ターゲット無線基地局にハンドオーバされ、前記ターゲット無線基地局は、
‐他の無線アクセスネットワーク内の無線基地局（321, 521, 711）を示す拡張識別要求を、前記ソース無線基地局から受信すること、ここで、前記拡張識別要求は、前記他の無線アクセスネットワーク内の前記無線基地局（321, 521, 711）の識別を要求している無線基地局のアドレスを含み、
‐前記他の無線アクセスネットワーク内の前記無線基地局（321, 521, 711）が、前記ターゲット無線基地局によって隣接無線基地局として知られている場合、前記他の無線アクセスネットワーク内の前記無線基地局（321, 521, 711）の識別情報を、前記他の無線アクセスネットワーク内の前記無線基地局（321, 521, 711）の識別を要求している前記無線基地局へ送信すること、又は
‐前記他の無線アクセスネットワーク内の前記無線基地局（321, 521, 711）が前記ターゲット無線基地局によって隣接基地局として知られておらず、かつ、前記無線デバイス（390, 590, 790）が、他のターゲット無線基地局にハンドオーバされる場合に、当該他のターゲット無線基地局へ前記拡張識別要求を転送すること、
を開始するように構成される、ターゲット無線基地局。
【請求項３１】
請求項３０に記載のターゲット無線基地局であって、請求項２３から２７のいずれか１項に記載の方法を実行するように構成される、ターゲット無線基地局。
【請求項３２】
少なくとも１つのプロセッサに実行されると当該少なくとも１つのプロセッサに、請求項２から２２のいずれか１項に記載の方法を実行させる命令を含むコンピュータプログラム。
【請求項３３】
請求項３２に記載のコンピュータプログラムを含むキャリアであって、前記キャリアは、電子信号、光信号、無線信号、又はコンピュータ読み取り可能記憶媒体のうちの１つである、キャリア。
【請求項３４】
少なくとも１つのプロセッサに実行されると当該少なくとも１つのプロセッサに、請求項２３から２７のいずれか１項に記載の方法を実行させる命令を含むコンピュータプログラム。
【請求項３５】
請求項３４に記載のコンピュータプログラムを含むキャリアであって、前記キャリアは、電子信号、光信号、無線信号、又はコンピュータ読み取り可能記憶媒体のうちの１つである、キャリア。
【請求項３６】
有形の非一時的なコンピュータ読み取り可能な記憶媒体であって、少なくとも１つのプロセッサに実行されると当該少なくとも１つのプロセッサに、請求項１から２２及び２３から２７のいずれか１項に記載の方法を実行させる命令を含むコンピュータプログラムが格納された、記憶媒体。
【請求項３７】
ユーザ装置（ＵＥ）から基地局への送信によって生じるユーザデータを受信するように構成された通信インタフェースを備えるホストコンピュータを含む通信システムであって、前記基地局は、無線インタフェース及び処理回路を備え、前記基地局の処理回路は、請求項１から２２及び２３から２７のいずれか１項に記載の方法の工程を開始するように構成された、通信システム。
【請求項３８】
請求項３７に記載の通信システムであって、前記基地局を更に含む、通信システム。
【請求項３９】
請求項３８に記載の通信システムであって、前記基地局と通信するように構成された前記ＵＥを更に含む、通信システム。
【請求項４０】
請求項３９に記載の通信システムであって、
前記ホストコンピュータの前記処理回路は、ホストアプリケーションを実行するように構成され、
前記ＵＥは、前記ホストコンピュータと関連付けられたクライアントアプリケーションを実行することで、前記ホストコンピュータによって受信される前記ユーザデータを提供するように構成される、通信システム。
【請求項４１】
ホストコンピュータ、基地局、ユーザ装置（ＵＥ）を含む通信システムにおける方法であって、前記方法は、
前記ホストコンピュータにおいて、前記基地局が前記ＵＥから受信した送信によって生じるユーザデータを、前記基地局から受信することを含み、前記基地局は、請求項１から２２及び２３から２７のいずれか１項に記載の方法のステップを開始するように構成される、方法。
【請求項４２】
請求項４１に記載の方法であって、前記基地局において、前記ＵＥから前記ユーザデータを受信することを更に含む、方法。
【請求項４３】
請求項４２に記載の方法であって、前記基地局において、前記受信したユーザデータの前記ホストコンピュータへの送信を介することを更に含む、方法。
【発明の詳細な説明】
【技術分野】
【０００１】
本発明は、無線デバイスにサービスを行う、第１の無線アクセスネットワークのサービング無線基地局における方法、及びそれに対応するデバイス及びシステムに関する。
【背景技術】
【０００２】
無線通信技術では、無線デバイス（wireless radio devices）への無線コネクションを提供するために、多数の無線基地局が配置される。無線基地局による無線デバイスへのサービスの提供を調整するためには、それぞれの無線基地局がその隣接する無線基地局を知っていることが重要である。Long Term Evolution（ＬＴＥ）の導入により、自動隣接関係（ＡＮＲ：Automatic Neighbor Relation）のサポートが導入され、これにより、拡張ＮｏｄｅＢ（ｅＮＢ：enhanced NodeB）として知られている無線基地局間の隣接関係（neighbor relations）をセットアップするためのオペレータのマニュアル設定作業が取り除かれたか又は大幅に低減された。第３世代パートナシッププロジェクト標準規格３ＧＰＰ ＴＳ ３６．３００ Ｖ１３．４．０では、自動隣接関係機能（Automatic Neighbor Relation Function）について詳しく説明する。
【０００３】
ＡＮＲ機能を図１に示す。無線デバイス又はユーザ装置（ＵＥ）は、セルＡにおいてｅＮＢによるサービスを受ける。セルＡにサービスを行うｅＮＢは、ＡＮＲ機能を有する。通常の呼手順の一部として、ｅＮＢは、隣接セルに対する測定を実行するよう各ＵＥに指示する。ｅＮＢは、測定を行うこと及びそれをｅＮＢに報告するタイミングをＵＥに指示するために、種々のポリシーを使用しうる。ステップ１で、無線デバイスは、別のｅＮＢ又はセルＢに関する測定報告を送信する。この測定報告は、物理セルＩＤ（ＰＣＩ：Physical Cell-ID）を含むが、その拡張セルグローバル識別子（ＥＣＧＩ：Enhanced Cell Global Identifier）は含まない。セルＡのサービングｅＮＢは、ステップ２で、新たに発見されたＰＣＩをパラメータとして使用して、関連する隣接セルのＥＣＧＩ、トラッキングエリアコード（ＴＡＣ：Tracking Area Code）及び全ての利用可能な公衆陸上モバイルネットワーク（ＰＬＭＮ：Public Land Mobile Network）ＩＤを読み取るよう、ＵＥに指示する。これらの値を測定した後、ＵＥは、ステップ３で、検出されたＥＣＧＩをサービングｅＮＢに報告し、ｅＮＢは、この隣接関係を追加することを決定する。ｅＮＢは、新たなｅＮＢへのトランスポートレイヤアドレスを検索し、隣接関係リスト（Neighbor Relation list）を更新し、かつ、必要であれば、このｅＮＢに向けて新たなＸ２インタフェースをセットアップするために、ＰＣＩ及びＥＣＧＩを使用できる。
【０００４】
図２は、ＬＴＥネットワークのｅＮＢにおけるＡＮＲ機能を示す。ＡＮＲ機能は、ｅＮＢに存在し、概念的な隣接関係テーブル（ＮＲＴ：Neighbor Relation Table）を管理する。ＡＮＲ内に位置する隣接検出機能（Neighbor Detection Function）は、新たな隣接するものを見つけ、それらをＮＲＴに追加する。ＡＮＲは、古いＮＲを除去する隣接除去機能（Neighbor Removal Function）も含む。ソースセルからターゲットセルへの既存の隣接関係は、ソースセルを制御するｅＮＢが、ターゲットセルのＥＣＧＩ／ＣＧＩ及びＰＣＩを知っており、隣接関係テーブル内に、ソースセルがターゲットセルを識別するためのエントリを有し、かつ、この隣接関係テーブルのエントリ内に、Ｏ＆Ｍによって定められるか又はデフォルト値に設定される属性を有することを意味しうる。
【発明の概要】
【０００５】
第５世代モバイルネットワーク（５Ｇ、Ｎｅｗ Ｒａｄｉｏ−ＮＲ）のための最初の標準規格リリースは、既存のＬＴＥ無線アクセスネットワークと、Ｎｅｗ Ｒａｄｉｏキャリアが追加されたEvolved Packet Core（ＥＰＣ）ネットワークとを利用する、非スタンドアローン型（ＮＳＡ：non-standalone）ＮＲネットワークである。ＮＳＡ ＮＲノードは、常にＬＴＥノードをマスタノードとして有する。ＵＥはＮＲに留まらないので、システム情報はＮＲで送信される必要はない。ＬＴＥ ＡＮＲソリューションは、システム情報で送信されるグローバルセル識別子（global cell identifier）についてのＵＥ測定に依存する。ＮＳＡ ＮＲネットワークでは、ＮＲシステム情報は送信される必要がなく、それ故に、ＵＥはＮＲ無線基地局のいかなるグローバル識別子も読み取ることができない。これは、自動的なＮＳＡ ＮＲ隣接関係の確立のためにＡＮＲ手順を使用することができないことを意味する。
【０００６】
したがって、無線通信システム（wireless radio communication system）における自動的な隣接関係の確立を改善することを目的としている。この目的は、独立請求項によって達成される。従属請求項には有利な実施形態が記載されている。
【０００７】
第１の態様によれば、無線デバイスにサービスを行う、第１の無線アクセスネットワークのサービング無線基地局における方法が提供される。本方法は、測定報告を受信する工程を含む又は開始し、ここで、前記測定報告は、他の無線アクセスネットワーク内の無線基地局から前記無線デバイスによって受信される参照信号に基づくものである。本方法は更に、前記他の無線アクセスネットワーク内の前記無線基地局を示す識別要求を、前記サービング無線基地局の少なくとも１つの隣接無線基地局へ送信する工程を含む。本方法は更に、受信された識別情報に基づいて、前記他の無線アクセスネットワーク内の前記無線基地局の識別に関する情報を使用して隣接関係を確立する工程を含む。
【０００８】
更なる態様によれば、無線アクセスネットワークのターゲット無線基地局における方法であって、無線デバイスがソース無線基地局から前記ターゲット無線基地局にハンドオーバされる、前記方法が提供される。本方法は、他の無線アクセスネットワーク内の無線基地局を示す拡張識別要求を、前記ソース無線基地局から受信する工程を含み、前記拡張識別要求は、前記他の無線アクセスネットワーク内の前記無線基地局の識別を要求している無線基地局のアドレスを含む。本方法は、前記他の無線アクセスネットワーク内の前記無線基地局が、前記ターゲット無線基地局によって隣接無線基地局として知られている場合、前記他の無線アクセスネットワーク内の前記無線基地局の識別情報を、前記他の無線アクセスネットワーク内の前記無線基地局の識別を要求している前記無線基地局へ送信する、又は、前記他の無線アクセスネットワーク内の前記無線基地局が前記ターゲット無線基地局によって隣接基地局として知られておらず、かつ、前記無線デバイスが、他のターゲット無線基地局にハンドオーバされる場合に、当該他のターゲット無線基地局へ前記拡張識別要求を転送する工程を含む。
【０００９】
更なる態様によれば、無線デバイスにサービスを行う、第１の無線アクセスネットワークのサービング無線基地局が提供される。前記サービング無線基地局は、測定報告を受信するように構成され、前記測定報告は、他の無線アクセスネットワーク内の無線基地局から前記無線デバイスによって受信される参照信号に基づくものである。前記サービング無線基地局は更に、前記他の無線アクセスネットワーク内の前記無線基地局を示す識別要求を、前記サービング無線基地局の少なくとも１つの隣接無線基地局へ送信するように構成される。前記サービング無線基地局は更に、受信された識別情報に基づいて、前記他の無線アクセスネットワーク内の前記無線基地局の識別に関する情報を使用して隣接関係を確立するように構成される。
【００１０】
更なる態様によれば、無線デバイスにサービスを行う、第１の無線アクセスネットワークのサービング無線基地局が提供される。前記サービング無線基地局は、プロセッサ及びメモリを備え、当該メモリは、当該プロセッサによって実行可能な命令を含み、それによって、前記サービング無線基地局は、測定報告を受信するように構成され、前記測定報告は、他の無線アクセスネットワーク内の無線基地局から前記無線デバイスによって受信される参照信号に基づくものである。前記サービング無線基地局は更に、他の無線アクセスネットワーク内の無線基地局を示す識別要求を、当該サービング無線基地局の少なくとも１つの隣接無線基地局へ送信し、受信した識別情報に基づいて、前記他の無線アクセスネットワーク内の前記無線基地局の識別に関する情報を使用して、隣接関係を確立するように構成される。
【００１１】
更なる態様によれば、無線アクセスネットワークのターゲット無線基地局であって、無線デバイスがソース無線基地局から前記ターゲット無線基地局にハンドオーバされる、前記ターゲット無線基地局が提供され、前記ターゲット無線基地局は、他の無線アクセスネットワーク内の無線基地局を示す拡張識別要求を、前記ソース無線基地局から受信することを開始するように構成され、前記拡張識別要求は、前記他の無線アクセスネットワーク内の前記無線基地局の識別を要求している無線基地局のアドレスを含む。前記ターゲット無線基地局は更に、前記他の無線アクセスネットワーク内の前記無線基地局が、前記ターゲット無線基地局によって隣接無線基地局として知られている場合、前記他の無線アクセスネットワーク内の前記無線基地局の識別情報を、前記他の無線アクセスネットワーク内の前記無線基地局の識別を要求している前記無線基地局へ送信することを開始するように構成される。前記ターゲット無線基地局は更に、前記他の無線アクセスネットワーク内の前記無線基地局が前記ターゲット無線基地局によって隣接基地局として知られておらず、かつ、前記無線デバイス、他のターゲット無線基地局にハンドオーバされる場合に、当該他のターゲット無線基地局へ前記拡張識別要求を転送することを開始するように構成される、
【００１２】
更なる態様によれば、無線アクセスネットワークのターゲット無線基地局であって、無線デバイスがソース無線基地局から前記ターゲット無線基地局にハンドオーバされる、前記ターゲット無線基地局が提供される。前記ターゲット無線基地局は、プロセッサ及びメモリを備え、当該メモリは、当該プロセッサによって実行可能な命令を含み、それによって、前記ターゲット無線基地局は、他の無線アクセスネットワーク内の無線基地局を示す拡張識別要求を、前記ソース無線基地局から受信することを開始するように構成され、前記拡張識別要求は、前記他の無線アクセスネットワーク内の前記無線基地局の識別を要求している無線基地局のアドレスを含む。前記ターゲット無線基地局は更に、前記他の無線アクセスネットワーク内の前記無線基地局が、前記ターゲット無線基地局によって隣接無線基地局として知られている場合、前記他の無線アクセスネットワーク内の前記無線基地局の識別情報を、前記他の無線アクセスネットワーク内の前記無線基地局の識別を要求している前記無線基地局へ送信すること、及び、前記他の無線アクセスネットワーク内の前記無線基地局が前記ターゲット無線基地局によって隣接基地局として知られておらず、かつ、前記無線デバイスが、他のターゲット無線基地局にハンドオーバされる場合に、当該他のターゲット無線基地局へ前記拡張識別要求を転送すること、を開始するように構成される。
【００１３】
本発明は更に、ユーザデバイス及び受信デバイスの少なくとも１つのそれぞれの処理ユニットによって動作させられる場合に上述のような方法を実行するために、ソフトウェアコード又は命令の一部を含むコンピュータプログラムに関連する。前記コンピュータプログラムは、コンピュータ読み取り可能な媒体に格納されうる。前記コンピュータ読み取り可能な媒体は、ユーザデバイス若しくは受信デバイス内の又は外部に配置された、永久又は書き換え可能メモリでありうる。それぞれのコンピュータプログラムは、信号の系列として、例えば有線又は無線回線を介してユーザデバイス又は受信デバイスへ転送されてもよい。
【図面の簡単な説明】
【００１４】
以下では、図面に示される例示的な実施形態を参照して、本発明について更に説明する。
【００１５】
【図１】図１は、ＬＴＥにおける既存の自動隣接関係の例示的なシーケンス図を示す。
【図２】図２は、ｅＮｏｄｅＢにおけるＡＮＲ機能の既存の実装の概略図を示す。
【図３】図３は、無線通信ネットワークの第１の実施形態の概略図を示す。
【図４】図４は、無線通信ネットワークの第１の実施形態に関連する例示的なシーケンス図を示す。
【図５】図５は、無線通信ネットワークの第２の実施形態の概略図を示す。
【図６】図６は、無線通信ネットワークの第２の実施形態に関連する例示的なシーケンス図を示す。
【図７】図７は、無線通信ネットワークの第３の実施形態の概略図を示す。
【図８】図８は、無線通信ネットワークの第３の実施形態に関連する例示的なシーケンス図を示す。
【図９】図９は、一実施形態に係るサービング無線基地局の機能を説明するためのブロック図を示す。
【図１０】図１０は、一実施形態に係る方法を説明するためのフローチャートを示す。
【図１１】図１１は、一実施形態に係るターゲット無線基地局の機能を説明するためのブロック図を示す。
【図１２】図１２は、一実施形態に係る更なる方法を説明するためのフローチャートを示す。
【図１３】図１３は、他の実施形態に係る更なる方法を説明するためのフローチャートを示す。
【図１４】図１４は、中間ネットワークを介してホストコンピュータに接続された通信ネットワークを概略的に示す。
【図１５】図１５は、本明細書の実施形態による、部分的に無線コネクション上で基地局を介してユーザ装置と通信するホストコンピュータの一般化されたブロック図である。
【発明を実施するための形態】
【００１６】
以下では、限定ではなく説明の目的で、本発明の深い理解を提供するために、具体的詳細を説明する。本発明がこれらの具体的詳細から逸脱する他の実施形態において実施されてもよいことは当業者には明らかであろう。例えば、本発明の例示のためにＬＴＥ／５Ｇ（Ｎｅｗ Ｒａｄｉｏ）標準規格の用語に関連して例示的な実施形態を説明しているが、それらは他の種類のモバイル通信システムにも同様に適用可能である。また、本発明は、モバイルユーザ又はモバイルデバイスがアタッチしうる任意のネットワークで実施されうる。
【００１７】
当業者であれば、以下に説明する機能が、ハードウェア回路、ソフトウェア手段、又はそれらの組み合わせを用いて実現されうることを更に理解するのであろう。ソフトウェア手段は、特定用途向け集積回路（ＡＳＩＣ）及び／又はデジタル信号プロセッサ（ＤＳＰ）を使用して、プログラムされたマイクロプロセッサ又は汎用コンピュータと連携されてもよい。また、本発明が方法として記載される場合、コンピュータプロセッサと、当該プロセッサに結合されたメモリとで実施されてもよいことも明らかであり、この場合、当該メモリは、当該プロセッサによって実行されるときに当該方法を実行する１つ以上のプログラムでエンコードされる。
【００１８】
本出願のコンテキスト内において、ユーザ装置（ＵＥ）又は無線デバイスは、アクセスネットワークを介してサービスにアクセスすることが意図され、かつ、アクセスネットワークを介して通信するように構成された、任意のデバイスでありうる。例えば、ＵＥ又は無線デバイスは、携帯電話、スマートフォン、センサデバイス、メータ、車両、家庭用機器、医療機器、メディアプレーヤ、カメラ、又は任意のタイプの家庭用電子機器（例えば、限定されないが、テレビ、ラジオ、照明装置、タブレットコンピュータ、ラップトップ、又はＰＣ）でありうるが、これらに限定されない。ＵＥ又は無線デバイスは、無線又は有線コネクションを介して音声及び／又はデータを通信することが可能な、携帯型、ポケット格納型、ハンドヘルド型、コンピュータ搭載型、又は車載型のモバイルデバイスであってもよい。
【００１９】
本出願のコンテキスト内において、「無線通信ネットワーク（wireless radio communication network）」又は簡潔に「ネットワーク」との用語は、特に、ノード又はエンティティの集合、関連するトランスポートリンク、及びサービス（例えば、電話サービス又はパケット転送サービス）を行うために必要とされる関連付けられた管理、を表しうる。サービスによっては、サービスの実現のために異なるノードタイプ又はエンティティが利用されうる。ネットワークオペレータは、通信ネットワークを所有し、実装されたサービスをその加入者に提供する。通信ネットワークの典型的な例は、無線アクセスネットワーク（２Ｇ、ＧＳＭ、３Ｇ、ＷＣＤＭＡ(登録商標)、ＣＤＭＡ、ＬＴＥ、５Ｇ又はＮｅｗ Ｒａｄｉｏ、ＷＬＡＮ、Ｗｉ−Ｆｉ等）、モバイルバックホールネットワーク、又は、ＩＭＳ、ＣＳコア、ＰＳコア若しくはＥＰＣ等のコアネットワークである。
【００２０】
本出願のコンテキスト内において、「セル」との用語は、典型的には、ネットワークノードに属しうる。特に、セルは、実施形態において「ＬＴＥ」と称される拡張ＮｏｄｅＢ（ｅＮＢ）に属し、又は実施形態において「ＮＲ」と称されるＮｅｗ Ｒａｄｉｏ（ＮＲ）アクセスネットワークの無線基地局に属する。「ＮＲ」との用語は、「５Ｇ」と略される第５世代モバイルネットワーク又は第５世代無線システムによる無線基地局を識別するために選択されており、これは、４Ｇ標準規格を超えて提案されている次の通信標準規格である。５Ｇ標準規格による無線基地局は、ｇＮＢと表記されてもよい。
【００２１】
セル間で行われると記載された通信は、これらのセルに対応するネットワークノード又は無線基地局間で行われることが可能であり、一方で、隣接関係は、典型的にはセル間で維持される。以下では、セルという用語は、無線基地局／ノードに置き換えられることが可能であり、又はその逆も可能である。
【００２２】
図面における図示は概略的である。異なる図面において、類似又は同一のエレメントには、同じ参照符号、又は最初の桁において互いに異なる参照符号が付されている。
【００２３】
図３は、本発明の第１の実施形態を示す。図３のシナリオは、楕円形の円で描かれた、それぞれのセルにサービスを行う３つのＬＴＥ無線基地局又はｅＮＢである、ＬＴＥA３１０、ＬＴＥB３２０及びＬＴＥC３３０を示す。ＬＴＥA３１０とＬＴＥB３２０との間には、ＬＴＥ隣接関係が確立される。即ち、無線基地局ＬＴＥA３１０は、ＬＴＥB３２０のアドレスを知っており、その逆も同様である。ＬＴＥA３２０の隣接関係テーブルは、LTEのアドレスのような情報を含みうる。更に、ＬＴＥA３１０は、制御データをやりとりするためにＬＴＥB３２０と特定のインタフェースを介して接続されるものとする。無線基地局ＬＴＥA３１０とＬＴＥC３３０との間の関係についても同様の状況が当てはまる。図３は更に、Ｎｅｗ Ｒａｄｉｏ標準規格５Ｇに従って動作し、かつ、ＮＲA３１１、ＮＲB３１２及びＮＲC３２１と称される３つの無線基地局を示す。しかしながら、全ての無線基地局３１０，３２０，３３０，３１１，３１２，３２１が、同じ標準規格（例えば、ＬＴＥ）に従って動作することも可能である。
【００２４】
非スタンドアローン型Ｎｅｗ Ｒａｄｉｏ（ＮＳＡ−ＮＲ：Non-Standalone New Radio）シナリオで実現されうる一実施形態によれば、３つの無線基地局ＮＲA３１１、ＮＲB３１２及びＮＲC３２１の全ては、それぞれのＬＴＥ ｅＮＢに関連付けられていてもよく、ここで、この実施形態では、無線基地局ＮＲA３１１及びＮＲB３１２が無線基地局ＬＴＥA３１０に関連付けられ、ＮＲC３２１が無線基地局ＬＴＥB３２０に関連付けられる。当該関連付けは、ＮＲセル又は基地局／ｇＮＢに対応するシステム情報を提供する、ＬＴＥセル又はｅＮＢの機能を示すことがある。ＮＲ無線基地局は、ＬＴＥ無線基地局ＬＴＥA３１０、ＬＴＥB３２０、及びＬＴＥC３３０とは異なる無線アクセス技術に従って動作しうる。ＮＲ基地局のセルも、各セル又は無線基地局のカバレッジを示すために楕円で表されている。無線デバイス３９０は、ＬＴＥA３１０、ＮＲB３１２、ＮＲC３２１及びＬＴＥB３２０のカバレッジエリア内に示されている。無線デバイス又はＵＥ３９０は、第１の無線アクセスネットワークにおいてマスター無線基地局として無線基地局ＬＴＥA３１０によるサービスを受けるものとする。サービング無線基地局ＬＴＥA３１０と無線デバイス３９０との間のコネクションは、無線リソース制御（ＲＲＣ）コネクションでありうる。図３のこの実施形態では、ＵＥ３９０は、他の無線アクセスネットワークにおいて無線基地局と名付けられうる無線基地局ＮＲC３２１から参照信号を受信する。また、ＮＲC３２１は、ＬＴＥA３１０によって現在知られていない。即ち、ＬＴＥA３１０とＮＲC３２１との間に確立された隣接関係は存在しない。ＮＲC３２１からの参照信号は、同期信号（synch signals）又は同期信号（synchronization signals）と名付けられることもある。上記無線基地局から同期信号又は参照信号を受信した際、ＵＥ３９０は、その無線基地局のアイデンティティ（identity）を認識していない。この特定の無線基地局は、ＵＥ３９０の隣接リスト上にないことがある。未知のＮＲC３２１を聞くと、ＵＥ又は無線デバイス３９０は、それがＮＲC３２１の可聴性（audibility）を有することを、サービング基地局ＬＴＥA３１０に通知する。これは、他の無線アクセスネットワークにおいて無線基地局３２１から受信された参照信号に基づく測定報告を介して行われることが可能である。
【００２５】
一実施形態によれば、無線デバイス又はＵＥ３９０は、第２の無線アクセスネットワークの第２の無線基地局ＮＲB３１２によるサービスを更に受ける。無線デバイス３９０は、サービング無線基地局ＬＴＥA３１０と第２の無線アクセスネットワークの第２の無線基地局ＮＲB３１２とによるサービスとを並列に受けうる。ＮＳＡ ＮＲシナリオでありうる更なる実施形態では、サービング無線基地局ＬＴＥA３１０は、制御データのみを用いて無線デバイス又はＵＥ３９０にサービスを行い、第２の無線基地局ＮＲB３１２と無線デバイス３９０との間のコネクションは、アップリンク（ＵＬ）及びダウンリンク（ＤＬ）におけるユーザデータの配信（送信及び受信）のみのためのものである。しかしながら、第２の無線基地局ＮＲB３１２と無線デバイス３９０との間の当該コネクション上で、何らかの制御データが送信されることも可能でありうる。一実施形態によれば、第２の無線アクセスネットワークは、サービング無線基地局３１０の無線アクセス技術とは異なる無線アクセス技術のものである。サービング無線基地局３１０が、ＬＴＥネットワークにおける又は拡張ＬＴＥネットワークにおけるｅＮＢであり、第２の無線基地局が、５ＧアクセスネットワークのｇＮＢ又は次世代ＮｏｄｅＢであることが可能でありうる。
【００２６】
一実施形態によれば、測定報告は、無線デバイス３９０から第２の無線基地局ＮＲB３１２を介してサービング無線基地局ＬＴＥA３１０へ送られることもでき、これにより、当該報告は第２の無線基地局３１２からサービング無線基地局３１０によって受信される。これは、サービングｅＮＢ３１０とＵＥ３９０との間のＰＣＣＨにおけるリソース利用を低減することになる。測定報告が無線デバイス３９０によってサービング無線基地局ＬＴＥA３１０へ直接送られることも可能でありうる。
【００２７】
この可聴性報告（audibility report）又は測定報告を受信すると、サービング無線基地局ＬＴＥA３１０は、他の無線アクセスネットワーク内の無線基地局３２１が既知であるかどうかをチェックする。サービング無線基地局３１０が他の無線アクセスネットワーク内の無線基地局３２１を知らない場合、当該他の無線アクセスネットワーク内の無線基地局３２１を示す（referring to）識別要求が、サービング無線基地局３１０の少なくとも１つの隣接無線基地局３２０，３３０，３１１へ送信される。サービング無線基地局３１０が、この実施形態のＮＲB３１２のような第２の無線基地局から測定報告を受信した場合、この特定の無線基地局３１２へ識別要求を送信しなくてもよい。例えば測定報告がＬＴＥ関連の測定値を含む場合には、選択された隣接無線基地局３２０、３３０にのみ識別要求を送信することが可能でありうる、又は、無線基地局３１２から当該報告が受信されうる場合の当該無線基地局を除く、全ての隣接する無線基地局３２０、３３０及び３１１に、識別要求を送信することが可能でありうる。隣接する無線基地局への識別要求の送信は、無線基地局間の特定のインタフェース上で、又は図示されていないコアネットワークを介して実行されることが可能である。他の無線基地局に情報を要求することによって、無線デバイス３９０とサービング無線基地局３１０との間の無線リンクは緩和され（decongested）、これは、他の無線アクセスネットワークにおいて検出された無線基地局から更なる情報を取り出すために無線デバイス３９０が更なるアクションを行う必要がないためである。
【００２８】
識別要求又はセル識別要求は、要求された無線基地局を識別できるように、隣接する無線基地局のための何らかの情報を含みうる。他の無線アクセスネットワーク内の上記無線基地局３２１を知っている隣接無線基地局３２０が、要求されたアイデンティティを他の無線アクセスネットワーク内の上記無線基地局３２１に関連付けることを可能にするために、受信した参照信号からのフィンガープリントを識別要求に含めることが可能でありうる。隣接無線基地局が他の無線アクセスネットワーク内の無線基地局３２１の要求された識別情報を知らない場合、この隣接無線基地局は、否定応答（ＮＡＣＫ）を用いて識別要求に応答しうる。図３の実施形態では、ＬＴＥC３３０は、他の無線アクセスネットワーク内の無線基地局ＮＲC３２１の要求されたアイデンティティに関する知識を有さないことがある。ＮＲC３２１の無線アクセス技術が隣接無線基地局３３０（及び隣接無線基地局３２０）の無線アクセス技術とは異なっているシナリオでは、無線基地局は特定の地域において近接して位置していても、それらの隣接関係を知らない可能性が高い。図３のシナリオがＮＳＡ ＮＲシナリオを示す場合、ＮＲC３２１は、ＬＴＥA３１０の無線アクセス技術とは異なる無線アクセス技術のｇＮＢである。この実施形態では、ＮＲC３２１は、ＬＴＥB３２０にのみ関連付けられているが、ＬＴＥC３３０には関連付けられない。また、ＬＴＥC３３０又はＮＲC３２１が、全ての隣接関係を未だ確立する時間を有していない新たに導入された基地局である可能性もある。ＬＴＥA３１０が、隣接無線基地局が（例えば、受信されたＮＡＣＫ応答に基づいて）他の無線アクセスネットワーク内の要求された無線基地局のアイデンティティ及びアドレスを認識していないことを知っている場合には、後に、利用可能なときには上記隣接無線基地局（例えば、ＬＴＥC３３０）にのみアドレスの詳細を提供するためにこの情報を使用してもよい。これにより、既に情報を認識しているノードに情報をネットワークが送信することが防止される。
【００２９】
サービング無線基地局ＬＴＥA３１０は、他の無線アクセスネットワーク内の無線基地局ＮＲC３２１の識別情報（identification）を受信した後に、他の無線アクセスネットワーク内の上記無線基地局ＮＲC３２１の情報に基づいて隣接関係を確立する。隣接関係を特定するためのバックボーンとしてＬＴＥ無線基地局を有することの利点は、ＮＳＡ ＮＲノードからシステム情報を送信するための追加のリソースが必要とされず、ＮＳＡ配置におけるＡＮＲ動作のために予約される限定された物理ランダムアクセスチャネル（ＰＲＡＣＨ）リソースの使用が低減されることである。
【００３０】
一実施形態では、ＬＴＥA３１０のＮＲＴは、無線基地局ＮＲC３２１に関連する情報で更新される。識別に関する情報は、無線基地局ＮＲC３２１のトランスポートネットワークレイヤアドレスであってもよい。サービング無線基地局３１０は、ここで、他の無線アクセスネットワーク内の無線基地局ＮＲC３２１に、直接、又は、当該サービング無線基地局が識別情報を隣接基地局ＬＴＥB３２０から受信する場合の隣接基地局ＬＴＥB３２０を介して、コンタクトを取ることが可能でありうる。
【００３１】
更なる実施形態では、サービング無線基地局ＬＴＥA３１０は、隣接関係情報（例えば、ＮＲＴ）を更新することを求める要求を、その第２の無線基地局ＮＲB３１２へ送信する。この要求を任意の他の隣接無線基地局へ送信することも可能である。更なる一実施形態では、隣接関係を更新することを求める要求は、否定応答で識別要求に応答したか又は全く応答を送信していない隣接基地局にのみ送信される。
【００３２】
図４は、非スタンドアローン型Ｎｅｗ Ｒａｄｉｏネットワークの第１の実施形態に関連する例示的なシーケンス図を示す。最初のステップＳ４０で、ＵＥ３９０と、ＵＥ３９０のサービング無線基地局であるＬＴＥA３１０との間に、ＲＲＣコネクションが確立される。一実施形態によれば、ＵＥ３９０と、第２の無線アクセスネットワークの第２の無線基地局ＮＲB３１２との間に、更なるＲＲＣコネクションが確立される。サービング無線基地局３１０及び第２の無線基地局３１２は、異なる無線アクセス技術（例えば、ＬＴＥ及び５Ｇ）に従って動作しうる。ステップＳ４２で、ＵＥ３９０は、他の無線アクセスネットワークの無線基地局ＮＲC３２１から参照信号を受信する。次のステップＳ４３で、報告条件に基づいて、ＵＥ３９０からサービング無線基地局ＬＴＥA３１０へ測定報告が送信される。更なる実施形態では、この測定報告は更に、ステップ４３ａにおいて第２の無線基地局ＮＲB３１２へ最初に送信され、ステップ４３ｂにおいてサービング無線基地局ＬＴＥA３１０へ転送される。次のステップＳ４４ａ／Ｓ４４ｂで、サービング無線基地局ＬＴＥA３１０は、その隣接する無線基地局ＬＴＥB及びＬＴＥCへ識別要求を送信する。識別要求を、ＬＴＥA３１０とは異なる無線アクセス技術の無線基地局でありうるＮＲA３１１又はＮＲB３１２のような隣接ＮＲノードへ送信することも可能でありうる。ＬＴＥB３２０は、要求されたＮＲC３２１のアイデンティティを認識しているので、ステップＳ４５で、ＮＲCのアドレスを、要求元の無線基地局ＬＴＥA３１０に提供する。ＬＴＥC３３０は、他の無線アクセスネットワーク内の要求された無線基地局のアイデンティティを認識しておらず、ＮＡＣＫで応答する場合又は全く応答しない場合がある。ＬＴＥA３１０は、次のステップＳ４６で、その隣接関係情報を更新する。これは、ｅＮＢ３１０内のＮＲＴを更新することによって行われうる。更なる実施形態によれば、ＬＴＥA３１０は、ステップＳ４７ａ及びＳ４７ｂで、自動隣接関係（ＡＮＲ）更新要求を、ＮＲB３１２及び新たなＮＲC３２１のような隣接無線基地局へ送信しうる。また、それぞれの隣接無線基地局の無線アクセスネットワークのテクノロジーに基づいて、ＡＮＲ要求の送信をフィルタすることが可能でありうる。
【００３３】
図５は、無線アクセスネットワークの第２の実施形態の概略図を示す。図３の第１の実施形態と、この図の第２の実施形態との間の差分は、サービングＬＴＥA５１０が、ＬＴＥB５２０とのＬＴＥ隣接関係を有していないことである。更に、ＬＴＥB５２０は、ＬＴＥC５３０との隣接関係を有し、これも第１の実施形態とは異なる。他の全ての関係は変わらない。他の無線アクセスネットワーク内の無線基地局ＮＲC５２１のアイデンティティを要求するために、ＬＴＥA５１０は、同じ無線アクセス技術の無線基地局のみが要求された場合にのみ、識別要求を既知の隣接無線基地局ＬＴＥC５３０に送信しうる。しかし、ＬＴＥC５３０は、他の無線アクセスネットワーク内の無線基地局ＮＲC５２１のアイデンティティを認識していない。その結果、ＬＴＥA５１０に隣接する無線基地局のいずれも、ＮＲC識別要求の受信時にＮＲC５２１を認識しない。一実施形態によれば、伝搬方法を使用してこの問題を解決できる。図６は、ステップＳ６０〜Ｓ６３が図４のステップＳ４０〜Ｓ４３に相当する一実施形態を示す。ステップＳ６４で、ＬＴＥA５１０は、識別要求を、同じ無線アクセス技術の唯一の既知の隣接無線基地局ＬＴＥC５３０へ送信する。伝搬の実施形態によれば、ＬＴＥC５３０は、ステップＳ６５で、ＮＲC識別要求を、その隣接無線基地局ＬＴＥB５２０へ送信する。ＬＴＥB５２０は、ＮＲC５２１の要求されたアドレスを認識しており、ステップＳ６６で、ＮＲCアドレスとともに応答し、当該アドレスは、無線基地局ＮＲC５２１のトランスポートネットワークレイヤ（ＴＮＬ：Transport Network Layer）アドレスでありうる。次のステップで、ＬＴＥCは、ＮＲCアドレスを、要求元の無線基地局ＬＴＥA５１０へ転送しうる。更なる実施形態では、ＬＴＥCは、ＮＢＣ５２１に関する情報で、その隣接関係情報（例えば、ＮＲＴ）を更新してもよい。その隣接ノードＬＴＥC５３０からＮＲCアドレスを受信した後、ＬＴＥA５１０は、図３及び図４の一実施形態と同様に進める。ステップＳ６８、Ｓ６９ａ及びＳ６９ｂは、Ｓ４６、Ｓ４７ａ及びＳ４７ｂに相当するステップである。
【００３４】
別の実施形態では、ＬＴＥB５２０は、ＬＴＥA５１０に関するアドレス及び情報を追加することによって、その隣接関係を更新してもよい。これは、送信元であるＬＴＥA５１０のアドレスのような、ＮＲC識別要求内の情報に基づいて行うことができる。この場合、ＬＴＥB５２０は、ＬＴＥA５１０へ直接応答を送信してもよく、これにより、ＬＴＥA５１０は、ＬＴＥB５２０のアイデンティティを用いて隣接関係情報を更新することもできる。
【００３５】
第２の実施形態は、図５のＬＴＥC５３０のように、２つ以上の中間の無線基地局を用いて拡張されることも可能である。その場合、識別要求は、他の無線アクセスネットワーク内の要求された無線基地局のアドレスを知っている無線基地局に到達するまで、更に転送される必要がありうる。別の実施形態では、図６のＡＮＲ要求が、ＬＴＥC５３０又はＬＴＥB５２０によって、その隣接する無線基地局に送信されてもよい。
【００３６】
ここで、図７及び図８は、隣接関係の確立中に無線デバイスＵＥ７９０のハンドオーバが実行される第３の実施形態を示す。ＬＴＥA７２０は、無線デバイスＵＥ７９０のためのサービング無線基地局である。無線基地局ＮＲA７２２及びＮＲB７２１は、ＬＴＥA７１０に関連付けられ、ＬＴＥA７２０及び他の全てのＬＴＥ無線基地局７１０、７３０及び７４０とは異なる無線アクセス技術で動作する５ＧネットワークのｇＮＢでありうる。更に、ＵＥ７９０は、他の無線アクセスネットワークの無線基地局ＮＲC７１１のカバレッジエリア内にある。ＮＲC７１１は、無線基地局ＬＴＥA７２０とのいかなる隣接関係も有していない無線基地局ＬＴＥB７１０に関連付けられている。他の無線基地局ＮＲD７１２も、ＬＴＥB７１０に関連付けられているが、ＵＥ７９０を含むカバレッジは有していない。図７には、２つの無線基地局ＬＴＥC７３０及びＬＴＥD７４０が示されており、ＵＥ７９０は、ＬＴＥC７３０のカバレッジエリア内にある。ＬＴＥA７２０とＬＴＥC７３０との間、及びＬＴＥC７３０とＬＴＥD７４０との間、及びＬＴＥD７４０とＬＴＥB７１０との間には、確立された隣接関係が存在する。即ち、これらの無線基地局が特定のリンクを介して制御データを交換することができるように、これらの無線基地局は、ＴＮＬアドレスのような、それぞれの隣接無線基地局のエントリを有するＮＲＴを有しうる。
【００３７】
ステップＳ８０において、サービングセルも、第１及び第２の実施形態（ステップＳ４０〜Ｓ４３及びステップＳ６０〜Ｓ６３）にも沿って測定報告をそのＵＥ７９０から受信することを想定する。更に、ＬＴＥAが、ＬＴＥA７２０の唯一の隣接無線基地局であるＬＴＥC７３０へ、ＮＲC識別要求を送信したと想定すると、これはステップＳ８１において、インジケーションＮＲCアドレス未知又はＮＡＣＫによって応答され、ＵＥ７９０は、不良カバレッジ又はネットワークからの任意の他のトリガの結果でありうる別のＬＴＥ無線基地局へハンドオーバされなければならない。この実施形態では、ＵＥ７９０は、以前のサービングセルとしてのＬＴＥA７１０からターゲット無線基地局ＬＴＥC７３０へハンドオーバされる。このハンドオーバ手順は、単一のステップＳ８３として示されており、当該ステップは、ＵＥ７９０をハンドオーバするための情報を、ＵＥ７９０と、ソース無線基地局ＬＴＥA７２０と、ターゲット無線基地局ＬＴＥB７３０との間でやりとりするためのいくつかのステップを含む。次のステップＳ８４で、ターゲット無線基地局ＬＴＥC７３０は、ＵＥ７９０からの測定報告に基づいて、ＵＥ７９０の転送元であり、かつ、更に識別要求を開始したソース無線基地局ＬＴＥA７２０から、拡張識別要求を受信する。拡張識別要求は、他の無線アクセスネットワーク内の無線基地局ＮＲC７２１を示し、かつ、他の無線アクセスネットワーク内の当該無線基地局の識別を要求している無線基地局のアドレスを含む。この場合、他の無線アクセスネットワーク内の無線基地局の識別を要求している無線基地局は、ソース無線基地局ＬＴＥA７２０である。しかしながら、ＵＥ７９０のいくつかのハンドオーバがある場合、各ハンドオーバのソース無線基地局は、他の無線アクセスネットワーク内の無線基地局ＮＲC７１１のアドレスを要求した、同じ無線基地局ではない可能性がある。
【００３８】
他の無線アクセスネットワーク内の無線基地局が、ターゲット無線基地局によって隣接無線基地局として知られている場合、ターゲット基地局は、他の無線アクセスネットワーク内の上記無線基地局の識別情報を、他の無線アクセスネットワーク内の上記無線基地局の識別を要求している無線基地局へ送信する。図７及び図８の実施形態では、ターゲット基地局ＬＴＥC７３０は、無線基地局ＮＲC７１１を知らないため、要求元の無線基地局ＬＴＥA７２０にＮＲCアドレスを送信することができない。他の無線アクセスネットワーク内の無線基地局ＮＲC７２１が、隣接無線基地局としてターゲット無線基地局ＬＴＥC７３０によって知られていない場合には、ターゲット無線基地局ＬＴＥC７３０は、ステップＳ８５で、その隣接無線基地局（ここではＬＴＥD７４０）へＮＲC識別要求を送信してもよく、ステップＳ８６で、ＬＴＥD７４０から否定応答ＮＡＣＫ又は「ＮＲCアドレス未知」応答を受信してもよい又はあらゆる応答を受信しなくてもよい。この実施形態によれば、新たなターゲット無線基地局ＬＴＥD７４０への更なるハンドオーバがステップＳ８７において実行されるまでの間、アドレスを特定するプロセスが停止する。「古い」ターゲット無線基地局ＬＴＥC７３０は、その後、ステップＳ８８で、要求元の無線基地局ＬＴＥA７２０のアドレスを依然として含む拡張識別要求を、新たなターゲット無線基地局ＬＴＥD７４０へ転送する。新たなターゲット無線基地局ＬＴＥD７４０は、その後、ステップＳ８９で、その隣接無線基地局ＬＴＥB７１０へ識別要求を送信する。この場合、ＬＴＥB７１０は、無線基地局ＮＲC７１１のアイデンティティを知っており、ステップＳ９０で、ＮＲC７１１のアイデンティティ又はアドレスとともに応答する。ここで、ＬＴＥD７４０は、他の無線アクセスネットワーク内の無線基地局のアドレスを知り、要求元の無線基地局のアドレスを含む拡張識別要求から、要求元の無線基地局ＬＴＥA７２０のアドレスを認識し、ステップＳ９１で、ＮＲC７１１のアイデンティティをＬＴＥA７２０へ送信する。次のステップＳ９２〜Ｓ９４は、第１及び第２の実施形態のステップと同様である。当然ながら、ターゲット無線基地局への拡張識別要求の送信をトリガするＵＥ７９０のハンドオーバを多かれ少なかれ有することが可能でありうる。識別要求と拡張識別要求との間の差分は、拡張識別要求が、更なるハンドオーバが発生した後に、他のターゲット無線基地局へのこのメッセージの転送中に変更されない要求元の無線基地局のアドレスを更に含むことである。拡張識別要求は、ハンドオーバプロセス中に、又はハンドオーバの一部として、ターゲット無線基地局へ送信されることが可能でありうる。ハンドオーバが実行された後に拡張識別要求が送信されることも可能でありうる。このプロセスは、ＵＥが他のサービング無線基地局に転送される場合であっても、自動隣接関係プロセスをフォローアップすることを可能にする。
【００３９】
更なる実施形態によれば、このプロセスを特定の時間に制限するためにタイマーが使用される。測定報告をサービング無線基地局ＬＴＥA７２０へ送信したＵＥ７９０に関連付けられたタイマーを開始することが可能でありうる。拡張識別要求を他のターゲット無線基地局へ転送するプロセスは、時間が満了していない場合、又はタイマーがまだ実行されている場合にのみ実行される。タイマーは、特定の時間が経過した後に（タイマーが特定の限界に達した可能性がある後に）、又はアドレスの特定に成功した場合に停止されうる。タイマー値は、拡張識別要求を介して新たなターゲット無線基地局へ転送され、その後、当該新たなターゲット無線基地局はタイマーを更に更新する。したがって、それぞれの新たなターゲット無線基地局は、自動隣接関係プロセスを制限しうる時間を認識していることが保証される。新たなターゲット無線基地局への拡張識別要求の転送は、識別要求に対する否定応答が受信された場合にのみトリガされうる。更なる実施形態では、拡張識別要求が新たなターゲット無線基地局へ送信されるごとにインクリメント又はデクリメントされるカウンタが設定される。更新されたカウンタは、拡張識別要求に常に含まれてもよく、タイマー値の代わりに又はタイマー値に加えて使用されてもよい。カウンタが所定値に達すると、自動隣接関係特定プロセスは停止される。このプロセスを停止するために、カウンタは、所定値からデクリメントされる場合には値「０」に到達しうるか、又はカウンタが値「０」で開始される場合には所定値に到達しうる。
【００４０】
図９は、一実施形態に係る、無線デバイスにサービスを行う、第１の無線アクセスネットワークのサービング無線基地局又はｅＮＢ９００の機能を説明するためのブロック図を示す。サービング無線基地局は、測定報告の受信を開始するように構成され、当該測定報告は、他の無線アクセスネットワーク内の無線基地局から無線デバイスによって受信された参照信号に基づくものである。測定報告の受信は、インタフェース回路９１０を介して行われうる。ｅＮＢ９００は更に、他の無線アクセスネットワーク内の無線基地局を示す識別要求を、サービング無線基地局の少なくとも１つの隣接無線基地局へ送信することを開始するように構成される。識別要求の送信は、インタフェース回路９１０を介して行われうる。ｅＮＢ９００は更に、受信された識別情報に基づいて、他の無線アクセスネットワーク内の無線基地局の識別に関する情報を使用して、隣接関係を確立することを開始するように構成される。隣接関係は、処理回路９２０を介して確立されうる。
【００４１】
別の実施形態によれば、無線デバイスにサービスを行う、第１の無線アクセスネットワークのサービング無線基地局９００が提供される。サービング無線基地局は、プロセッサ９２０及びメモリ９３０を備え、当該メモリ９３０は、当該プロセッサ９２０によって実行可能な命令（例えば、コンピュータプログラム９３２）を含み、それによって、当該サービング無線基地局９００は、測定報告の受信を開始するように構成され、当該測定報告は、他の無線アクセスネットワーク内の無線基地局から無線デバイスによって受信された参照信号に基づくものである。サービング無線基地局９００は更に、他の無線アクセスネットワーク内の無線基地局を示す識別要求を、当該サービング無線基地局の少なくとも１つの隣接無線基地局へ送信することを開始し、受信した識別情報に基づいて、他の無線アクセスネットワーク内の無線基地局の識別に関する情報を使用して、隣接関係を確立するように構成される。
【００４２】
図９に示す構成が単に概略的なものであり、サービング無線基地局又はｅＮＢ９００が、明確化のために図示されていない他のコンポーネント（例えば、他のインタフェース）を実際には含みうることが理解されるべきである。例えば、異なるタイプの他のノードとの通信を可能にするように構成された多数のネットワークインタフェースが提供されてもよい。また、ストレージエンティティは、図示されていない他のタイプのプログラムコードモジュールを含みうることが理解されるべきである。
【００４３】
更に、上記の概念が、既存のデバイスの１つ以上のプロセッサによって実行されるように、又は専用のデバイスハードウェアを使用することによって、対応して設計されたソフトウェアを使用することによって実行されうることが理解されるべきである。また、本明細書で説明されるノードは、単一のデバイスによって、又は複数のデバイス（例えば、デバイスクラウド又は協働デバイスのシステム）によって実装されうる。
【００４４】
図１０は、第１の無線アクセスネットワークのサービング無線基地局において、例示された概念を実装するために利用されうる方法１０００を説明するためのフローチャートを示す。本方法は、無線通信ネットワークへの無線デバイスのアクセスを提供する役割を担うサービング無線基地局によって実行されうる。サービング無線基地局は、無線デバイスにサービスを行い、ステップ１０１０において、測定報告の受信を開始するように構成され、当該測定報告は、他の無線アクセスネットワーク内の無線基地局から無線デバイスによって受信された参照信号に基づくものである。サービング無線基地局は更に、ステップ１０２０において、他の無線アクセスネットワーク内の無線基地局を示す識別要求の、当該サービング無線基地局の少なくとも１つの隣接無線基地局への送信を開始し、ステップ１０３０において、受信された識別情報に基づいて、他の無線アクセスネットワーク内の無線基地局の識別に関する情報を使用して、隣接関係を確立することを開始するように構成される。サービング無線基地局のプロセッサベースの実装が使用される場合、本方法のステップは、無線基地局の１つ以上のプロセッサによって実行されうる。そのようなケースでは、無線基地局は、以下で説明する機能を実行するためのプログラムコードが格納されるメモリを更に備えうる。
【００４５】
図１１は、一実施形態に係る、無線アクセスネットワークのターゲット無線基地局又はｅＮＢ１１００の機能を説明するためのブロック図を示す。無線デバイスは、ソース基地局から当該ターゲット無線基地局１１００へハンドオーバされる。ターゲット無線基地局又はｅＮＢ１１００は、他の無線アクセスネットワーク内の無線基地局を示す拡張識別要求を、ソース無線基地局から受信するためのインタフェース回路１１１０を備え、当該拡張識別要求は、他の無線アクセスネットワーク内の上記無線基地局（３２１，５２１，７１１）の識別を要求している無線基地局のアドレスを含む。ｅＮＢ１１００は、他の無線アクセスネットワーク内の無線基地局が、ターゲット無線基地局によって隣接無線基地局として知られているかどうかをチェックするための処理回路１１２０を更に備える。このチェックがポジティブである場合、インタフェース回路１１１０は、他の無線アクセスネットワーク内の上記無線基地局（３２１，５２１，７１１）の識別情報を、当該他の無線アクセスネットワーク内の当該無線基地局（３２１，５２１，７１１）の識別を要求している無線基地局へ送信することを開始するように構成される。処理回路１１２０が、他の無線アクセスネットワーク内の無線基地局がターゲット無線基地局によって隣接無線基地局として知られていないと判定し、かつ、無線デバイスが、他のターゲット無線基地局にハンドオーバされる場合、インタフェース回路１１２０は、他のターゲット無線基地局へ拡張識別要求を転送することを開始するように構成される。
【００４６】
別の実施形態によれば、無線アクセスネットワークのターゲット無線基地局１１００が提供され、ここで、無線デバイスがソース無線基地局からターゲット無線基地局１１００にハンドオーバされる。ターゲット無線基地局１１００は、プロセッサ１１２０及びメモリ１１３０を備え、当該メモリ１１３０は、当該プロセッサ１１２０によって実行可能な命令（例えば、コンピュータプログラム１１３２）を含み、それによって、ターゲット無線基地局１１００は、他の無線アクセスネットワーク内の無線基地局を示す拡張識別要求を、ソース無線基地局から受信することを開始するように構成され、当該拡張識別要求は、他の無線アクセスネットワーク内の上記無線基地局の識別を要求している無線基地局のアドレスを含む。ターゲット無線基地局１１００は更に、他の無線アクセスネットワーク内の無線基地局がターゲット無線基地局によって隣接無線基地局として知られている場合に、他の無線アクセスネットワーク内の上記無線基地局の識別情報を、他の無線アクセスネットワーク内の上記無線基地局の識別を要求している無線基地局に送信すること、又は他の無線アクセスネットワーク内の無線基地局がターゲット無線基地局によって隣接無線基地局として知られていない場合、及び無線デバイスが他のターゲット無線基地局にハンドオーバされる場合に、拡張識別要求を当該他のターゲット無線基地局に転送することを開始するように構成される。
【００４７】
図１１に示す構成が単に概略的なものであり、ターゲット無線基地局又はｅＮＢ１１００が、明確化のために図示されていない他のコンポーネント（例えば、他のインタフェース）を実際には含みうることが理解されるべきである。例えば、異なるタイプの他のノードとの通信を可能にするように構成された多数のネットワークインタフェースが提供されてもよい。また、ストレージエンティティは、図示されていない他のタイプのプログラムコードモジュールを含みうることが理解されるべきである。
【００４８】
更に、上記の概念が、既存のデバイスの１つ以上のプロセッサによって実行されるように、又は専用のデバイスハードウェアを使用することによって、対応して設計されたソフトウェアを使用することによって実行されうることが理解されるべきである。また、本明細書で説明されるノードは、単一のデバイスによって、又は複数のデバイス（例えば、デバイスクラウド又は協働デバイスのシステム）によって実装されうる。
【００４９】
図１２は、無線アクセスネットワークの無線基地局において、例示された概念を実装するために利用されうる方法１２００を説明するためのフローチャートを示す。本方法は、ターゲット無線基地局によって実行されうるものであり、ここで、無線デバイスはソース無線基地局からターゲット無線基地局にハンドオーバされる。本方法は、他の無線アクセスネットワーク内の無線基地局を示す拡張識別要求を、ソース無線基地局から受信するステップ１２１０を含み、当該拡張識別要求は、他の無線アクセスネットワーク内の上記無線基地局の識別を要求している無線基地局のアドレスを含む。更なるステップ１２２０において、他の無線アクセスネットワーク内の無線基地局がターゲット無線基地局によって隣接無線基地局として知られているかどうかがチェックされる。本方法は、当該チェックがポジティブである場合に、他の無線アクセスネットワーク内の上記無線基地局の識別情報を、当該他の無線アクセスネットワーク内の当該無線基地局の識別を要求している無線基地局へ送信することを開始する更なるステップ１２４０を含む。本方法は、他の無線アクセスネットワーク内の無線基地局がターゲット無線基地局によって隣接基地局として知られておらず、かつ、無線デバイスが当該他のターゲット無線基地局にハンドオーバされる場合に、当該他のターゲット無線基地局へ拡張識別要求を転送することを開始する、更なるステップ１２３０を含む。
【００５０】
図１３にも示される更なる実施形態によれば、非固有の識別子が、隣接無線基地局への識別要求の数を低減するために使用される。図１３は、図３の例示的な実施形態を示す。ＬＴＥ無線基地局ＬＴＥB５２０に、ＮＲC無線基地局５２１が割り当てられる。この割り当ては、図１３においてＳ１３１０として示されている。サービング無線基地局５１０によって無線デバイス５９０から受信される、ステップ１３７０における測定報告は、他の無線アクセスネットワーク内の無線基地局の非固有のアイデンティティを含みうる。この非固有のアイデンティティは、セル再選択及びハンドオーバ等のモビリティ機能においてセル／無線基地局を識別する物理セルアイデンティティ（ＰＣＩ：Physical Cell Identity）でありうる。ＰＣＩは、０から５０３までの範囲を有し、異なる送信機からの情報を無線端末が分離するのを助けるために、データのスクランブルに使用される。したがって、ＰＣＩは、無線基地局又はセルに対する固有の識別子ではなく、これは、無線通信ネットワーク内に５０４個を上回る数のセル／無線基地局が存在する可能性があるためである。しかし、このようなシナリオにおいて、同一の非固有のアイデンティティを有する無線通信ネットワーク内の無線基地局は１つしか存在しないものとする。これは、ネットワークアーキテクチャ全体にわたる非固有のアイデンティティの、事前設定及びインテリジェント拡散によって行うことができる。上記の更なる実施形態によれば、非固有のアイデンティティが、サービング無線基地局の少なくとも１つの隣接無線基地局から受信され、これは上記の隣接基地局に関連付けられた無線基地局の非固有のアイデンティティである。非固有のアイデンティティは、サービング無線基地局へリストとして報告されうる。これは、図１３においてステップＳ１３５０及びＳ１３６０として示されており、当該ステップにおいて、ＬＴＥB５２０及びＬＴＥC５３０は、関連するセル又は無線基地局の非固有アイデンティティリストをＬＴＥA５１０へ送信する。即ち、サービング無線基地局の隣接無線基地局は、その関連する無線基地局の非固有のアイデンティティを、上記のサービング無線基地局に通知する。関連する無線基地局は、ＮＲ無線基地局であってもよいし、又は更にはＬＴＥ無線基地局（例えば、ＬＴＥリレーノード）であってもよい。サービング無線基地局は、その後、これらの非固有のアイデンティティを、当該アイデンティティの提供元の隣接無線基地局に関連付けて、当該サービング無線基地局のメモリに格納しうる。これは、ＮＲＴの拡張とされうるテーブルを介して行われうる。上記の実施形態の次のステップＳ１３８０において、ステップＳ１３７０の一部として測定報告を介して更に知らされた非固有のアイデンティティを既に報告した隣接局へ、識別要求が送信される。この例では、ＬＴＥB５２０は、ＮＲC５２１の非固有の識別情報をサービング無線基地局ＬＴＥA５１０に報告した。この無線基地局はＮＲC５２１の非固有のアイデンティティを報告しなかったので、識別要求がＬＴＥC５３０へ送信される必要はない。しかし、隣接無線基地局のいずれもが、上記の非固有のアイデンティティを報告しない場合には、ＮＲC５２１識別要求が、全ての隣接ノードに送信されてもよい。ステップＳ１３３０及びＳ１３４０に示すように、少なくとも１つの隣接無線基地局から非固有のアイデンティティを受信するステップが、要求メッセージを介してサービング無線基地局によってトリガされうる。他の無線基地局（例えば、サービング無線基地局に割り当てられている他の無線基地局）（本例ではＮＲB５１２）が、ＮＲC５２１に関する情報を要求した可能性もありうる（ステップＳ１３２０）。これは、この現在未知の無線基地局から何らかの無線シグナリングを受信した可能性があるためである。別の実施形態によれば、非固有のアイデンティティのプロビジョニング及び受信が、事前設定値に従って定期的に行われうる。新たなノードがネットワークに加えられた際に手動でトリガされた可能性もありうる。更なる態様によれば、要求メッセージが、更なる伝搬ステップとして、上記の少なくとも１つの隣接基地局のうちの更なる隣接無線基地局へ転送される。要求メッセージを、ネットワークにおいて、サービング無線基地局によって知られていない更なる隣接無線基地局へ更に伝搬させることが可能である。この伝搬は、特定の数に制限されてもよい。当該伝搬は、例えば、サービング無線基地局の隣接無線基地局が特定の無線基地局ＮＲC５２１に関する情報を有していない図５の例に従ってネットワークがセットアップされる場合に必要である。要求メッセージの伝搬により、結果として生じる非固有のアイデンティティが、異なる「ホップ」を介してサービング無線基地局に提供されてもよい。図５の例では、ＬＴＥA５１０は、このシナリオではＬＴＥB５２０がＬＴＥA５１０によって知られていないように、ＮＲC５２１の非固有のアイデンティティを、非固有のアイデンティティについての要求メッセージの第２の伝搬を介してこのアイデンティティをＬＴＥB５２０から受信したＬＴＥC５３０を介して、受信してもよい。
【００５１】
本発明は更に、ユーザデバイス及び受信デバイスの少なくとも１つのそれぞれの処理ユニットによって動作させられる場合に上述のような方法を実行するために、ソフトウェアコード又は命令の一部を含むコンピュータプログラムに関連する。キャリアは、コンピュータプログラムを含みうる。当該キャリアは、電子信号、光信号、無線信号、又はコンピュータ読み取り可能記憶媒体のうちの１つでありうる。コンピュータ読み取り可能媒体は、ＣＤ−ＲＯＭ、ＤＶＤ、ブルーレイディスク、ユーザデバイス若しくは受信デバイス内の又は外部に配置された、永久又は書き換え可能メモリでありうる。それぞれのコンピュータプログラムは、信号の系列として、例えば有線又は無線回線を介してユーザデバイス又は受信デバイスへ転送されてもよい。
【００５２】
図１４を参照すると、実施形態に従って、通信システムは、３ＧＰＰタイプのセルラネットワーク等の通信ネットワーク３２１０を含み、当該通信ネットワークは、無線アクセスネットワーク等のアクセスネットワーク３２１１と、コアネットワーク３２１４とを含む。アクセスネットワーク３２１１は、それぞれ対応するカバレッジエリア３２１３ａ，３２１３ｂ，３２１３ｃを規定する、ＮＢ、ｅＮＢ、ｇＮＢ、又はその他のタイプの無線アクセスポイント等の複数の基地局３２１２ａ，３２１２ｂ，３２１２ｃを備える。各基地局３２１２ａ，３２１２ｂ，３２１２ｃは、有線又は無線コネクション３２１５を介してコアネットワーク３２１４に接続可能である。カバレッジエリア３２１３ｃに位置する第１のユーザ装置（ＵＥ）３２９１は、対応する基地局３２１２ｃに無線で接続する、又は当該基地局によってページングされるように構成される。カバレッジエリア３２１３ａ内の第２のＵＥ３２９２は、対応する基地局３２１２ａに無線で接続可能である。この例では、複数のＵＥ３２９１，３２９２が示されているが、開示された実施形態は、単一のＵＥがカバレッジエリア内にある状況、又は単一のＵＥが対応する基地局３２１２に接続している状況にも同様に適用可能である。
【００５３】
通信ネットワーク３２１０自体は、ホストコンピュータ３２３０に接続され、当該ホストコンピュータは、独立型サーバ、クラウド実装型サーバ、分散型サーバのハードウェア及び／又はソフトウェアで、又はサーバファーム内の処理リソースとして実施されうる。ホストコンピュータ３２３０は、サービスプロバイダの所有であっても制御下にあってもよく、又は、サービスプロバイダによって又はサービスプロバイダの代わりに操作されてもよい。通信ネットワーク３２１０とホストコンピュータ３２３０との間のコネクション３２２１，３２２２は、コアネットワーク３２１４からホストコンピュータ３２３０に直接延びていてもよいし、オプションの中間ネットワーク３２２０を介して延びていてもよい。中間ネットワーク３２２０は、パブリックネットワーク、プライベートネットワーク、又はホストネットワークのうちの１つ以上の組合せであってもよく、中間ネットワーク３２２０は、もしあれば、バックボーンネットワーク又はインターネットであってもよく、特に、中間ネットワーク３２２０は、２つ以上のサブネットワーク（図示せず）を含んでもよい。
【００５４】
図１４の通信システムは、全体として、接続されたＵＥ３２９１，３２９２のうちの１つとホストコンピュータ３２３０との間の接続性を与える。当該接続性は、オーバー・ザ・トップ（ＯＴＴ：over-the-top）コネクション３２５０として説明されうる。ホストコンピュータ３２３０及び接続されたＵＥ３２９１，３２９２は、アクセスネットワーク３２１１、コアネットワーク３２１４、任意の中間ネットワーク３２２０、及び可能性のある更なるインフラストラクチャ（図示せず）を媒介として使用して、ＯＴＴコネクション３２５０を介してデータ及び／又はシグナリングを通信するように構成される。ＯＴＴコネクション３２５０は、ＯＴＴコネクション３２５０が通過する参加通信デバイスが、アップリンク通信及びダウンリンク通信のルーティングに気付かないという意味で、トランスペアレントでありうる。例えば、基地局３２１２は、接続されたＵＥ３２９１に転送される（例えば、ハンドオーバされる）ホストコンピュータ３２３０から発信されたデータを有する、到着するダウンリンク通信の過去のルーティングについて通知されてなくてもよく、又は通知される必要がなくてもよい。同様に、基地局３２１２は、ＵＥ３２９１からホストコンピュータ３２３０へ向かう、発信されるアップリンク通信の将来のルーティングを知っている必要はない。
【００５５】
図１５を参照して、前の段落で説明したＵＥ、基地局及びホストコンピュータの実施形態による実装例を以下で説明する。通信システム３３００において、ホストコンピュータ３３１０は、通信システム３３００の、異なる通信デバイスのインタフェースとの有線又は無線接続をセットアップ及び維持するように構成された通信インタフェース３３１６を含むハードウェア３３１５を備える。ホストコンピュータ３３１０は、ストレージ能力及び／又は処理能力を有しうる処理回路３３１８を更に備える。具体的には、処理回路３３１８は、命令を実行するように適合された１つ以上のプログラマブルプロセッサ、特定用途向け集積回路、フィールドプログラマブルゲートアレイ、又はこれらの組み合わせ（図示せず）を備えうる。ホストコンピュータ３３１０は、ホストコンピュータ３３１０内に格納された又はホストコンピュータ３３１０がアクセス可能である、かつ、処理回路３３１８によって実行可能であるソフトウェア３３１１を更に備える。ソフトウェア３３１１は、ホストアプリケーション３３１２を含む。ホストアプリケーション３３１２は、ＵＥ３３３０及びホストコンピュータ３３１０で終端するＯＴＴコネクション３３５０を介して接続するＵＥ３３３０等のリモートユーザにサービスを提供するように動作可能でありうる。サービスをリモートユーザに提供する際に、ホストアプリケーション３３１２は、ＯＴＴコネクション３３５０を使用して送信されるユーザデータを提供しうる。
【００５６】
通信システム３３００は更に、通信システム内に設けられ、かつ、ホストコンピュータ３３１０及び端末３３３０と通信することを可能にするハードウェア３３２５を備える基地局３３２０を含む。ハードウェア３３２５は、通信システム３３００の、異なる通信デバイスのインタフェースとの有線又は無線コネクションをセットアップ及び維持するための通信インタフェース３３２６と、基地局３３２０によってサービスが行われるカバレッジエリア（図１５には図示せず）内に位置するＵＥ３３３０との少なくとも無線コネクション３３７０をセットアップ及び維持するための無線インタフェース３３２７とを含みうる。通信インタフェース３３２６は、ホストコンピュータ３３１０へのコネクション３３６０を容易にするように構成されうる。コネクション３３６０は、直接的であってもよいし、通信システムのコアネットワーク（図１５には図示せず）及び／又は通信システムの外部の１つ以上の中間ネットワークを通過してもよい。図示された実施形態では、基地局３３２０のハードウェア３３２５は、命令を実行するように適合された１つ以上のプログラマブルプロセッサ、特定用途向け集積回路、フィールドプログラマブルゲートアレイ、又はこれらの組み合わせ（図示せず）を備えうる処理回路３３２８を更に含む。基地局３３２０は、内部に格納されるか又は外部接続を介してアクセス可能なソフトウェア３３２１を更に有する。
【００５７】
通信システム３３００は、既に言及した端末３３３０を更に含む。そのハードウェア３３３５は、ＵＥ３３３０が現在位置しているカバレッジエリアにサービスを行う基地局との無線コネクション３３７０をセットアップ及び維持するように構成された無線インタフェース３３３７を含みうる。ＵＥ３３３０のハードウェア３３３５は、命令を実行するように適合された１つ以上のプログラマブルプロセッサ、特定用途向け集積回路、フィールドプログラマブルゲートアレイ、又はこれらの組み合わせ（図示せず）を含みうる処理回路３３３８を更に含む。ＵＥ３３３０は、ソフトウェア３３３１を更に備え、当該ソフトウェアは、当該ＵＥ内に格納されており又は当該ＵＥがアクセス可能であり、かつ、処理回路３３３８によって実行可能である。ソフトウェア３３３１は、クライアントアプリケーション３３３２を含む。クライアントアプリケーション３３３２は、ホストコンピュータ３３１０のサポートにより、ＵＥ３３３０を介して人間の又は人間以外のユーザにサービスを提供するように動作可能でありうる。ホストコンピュータ３３１０において、実行中のホストアプリケーション３３１２は、ＵＥ３３３０及びホストコンピュータ３３１０で終端するＯＴＴコネクション３３５０を介して、実行中のクライアントアプリケーション３３３２と通信しうる。ユーザにサービスを提供する際、クライアントアプリケーション３３３２は、ホストアプリケーション３３１２から要求データを受信し、当該要求データに応じてユーザデータを提供しうる。ＯＴＴコネクション３３５０は、要求データ及びユーザデータの両方を転送しうる。クライアントアプリケーション３３３２は、それが提供するユーザデータを生成するためにユーザとインタラクションしうる。
【００５８】
図１５に示されるホストコンピュータ３３１０、基地局３３２０、及びＵＥ３３３０は、それぞれ、図１４のホストコンピュータ３２３０、基地局３２１２ａ，３２１２ｂ，３２１２ｃのうちの１つ、及びＵＥ３２９１，３２９２のうちの１つと同一でありうることに留意されたい。即ち、これらのエンティティの内部動作は、図１５に示されるようなものであってもよく、独立して、周囲のネットワークトポロジは図１４のものであってもよい。
【００５９】
図１６では、あらゆる中間デバイス及びそれらのデバイスを介したメッセージの正確なルーティングに明示的に言及することなく、ＯＴＴコネクション３３５０が、基地局３３２０を介したホストコンピュータ３３１０とユーザ装置３３３０との間の通信を示すために抽象的に描かれている。ネットワークインフラストラクチャは、ＵＥ３３３０から若しくはホストコンピュータ３３１０を操作するサービスプロバイダから、又はその両方から隠すように構成されうるルーティングを決定しうる。ＯＴＴコネクション３３５０がアクティブである間に、ネットワークインフラストラクチャは、（例えば、負荷の考慮又はネットワークの再設定に基づいて）ルーティングを動的に変更する決定を更に行いうる。
【００６０】
ＵＥ３３３０と基地局３３２０との間の無線コネクション３３７０は、本開示全体にわたって説明される実施形態の教示に従う。様々な実施形態のうちの１つ以上は、無線コネクション３３７０が最後のセグメントを形成するＯＴＴコネクション３３５０を使用してＵＥ３３３０に提供されるＯＴＴサービスの性能を改善する。より正確には、これらの実施形態の教示は、無線基地局間の隣接関係を確立するための限られたリソースの使用を改善でき、それによって、ネットワークが新たな無線基地局と適応する場合のユーザ待ち時間の短縮等の利点を提供できる。
【００６１】
いくつかの実施形態では、１つ又は以上の実施形態が改善するデータレート、レイテンシ及びその他の要因をモニタリングする目的で、測定手順が提供されうる。更に、測定結果の変動に応じて、ホストコンピュータ３３１０とＵＥ３３３０との間のＯＴＴコネクション３３５０を再設定するためのオプションのネットワーク機能があってもよい。ＯＴＴコネクション３３５０を再設定するための測定手順及び／又はネットワーク機能は、ホストコンピュータ３３１０のソフトウェア３３１１、又はＵＥ３３３０のソフトウェア３３３１、又はその両方で実装されうる。実施形態では、センサ（図示せず）が、ＯＴＴコネクション３３５０が通過する通信デバイスに配置されうるか又はそれに関連して配置されうる。当該センサは、上記で例示された、モニタリングされた量の値を供給することによって、又はソフトウェア３３１１，３３３１が当該モニタリングされた量を他の物理量の値から計算又は推定しうる、当該他の物理量の値を供給することによって、測定手順に関与しうる。ＯＴＴコネクション３３５０の再設定は、メッセージフォーマット、再送設定、好ましいルーティング等を含んでもよく、当該再設定は、基地局３３２０に影響を与える必要はなく、基地局３３２０には未知であるか又は感知できなくてもよい。そのような手順及び機能は、当該分野では既知でありうるとともに実践されうる。特定の実施形態では、測定は、ホストコンピュータ３３１０の、スループット、伝搬時間、レイテンシ等の測定を容易にする、独自のＵＥシグナリングを含みうる。当該測定は、ソフトウェア３３１１，３３３１が、伝搬時間、エラー等をモニタリングしながら、ＯＴＴコネクション３３５０を使用して、メッセージ（特に、空のメッセージ又は「ダミー」メッセージ）を送信させることで実行されうる。
【図１】
2021505053.tif 000003
【図２】
2021505053.tif 000004
【図３】
2021505053.tif 000005
【図４】
2021505053.tif 000006
【図５】
2021505053.tif 000007
【図６】
2021505053.tif 000008
【図７】
2021505053.tif 000009
【図８】
2021505053.tif 000010
【図９】
2021505053.tif 000011
【図１０】
2021505053.tif 000012
【図１１】
2021505053.tif 000013
【図１２】
2021505053.tif 000014
【図１３】
2021505053.tif 000015
【図１４】
2021505053.tif 000016
【図１５】
2021505053.tif 000017
【手続補正書】
【提出日】令和2年7月22日(2020.7.22)
【手続補正１】
【補正対象書類名】特許請求の範囲
【補正対象項目名】全文
【補正方法】変更
【補正の内容】
【特許請求の範囲】
【請求項１】
無線デバイス（390, 590, 790）にサービスを行う、第１の無線アクセスネットワークのサービング無線基地局（310, 510, 720）における方法であって、
‐測定報告を受信する工程と、ここで、前記測定報告は、他の無線アクセスネットワーク内の無線基地局（321, 521, 711）から前記無線デバイス（390, 590, 790）によって受信される参照信号に基づくものであり、
‐前記他の無線アクセスネットワーク内の前記無線基地局（321, 521, 711）を示す識別要求を、前記サービング無線基地局（310, 510, 720）の少なくとも１つの隣接無線基地局（311, 312, 320, 330, 522, 512, 530, 721, 722, 730）へ送信する工程と、
‐受信された識別情報に基づいて、前記他の無線アクセスネットワーク内の前記無線基地局（321, 521, 711）の識別に関する情報を使用して隣接関係を確立する工程と、
を含む又は開始する、方法。
【請求項２】
請求項１に記載の方法であって、前記他の無線アクセスネットワーク内の前記無線基地局（321, 521, 711）の識別に関する前記情報は、トランスポートネットワークレイヤアドレスである、方法。
【請求項３】
請求項１又は２に記載の方法であって、前記第１の無線アクセスネットワークの無線アクセス技術は、前記他の無線アクセスネットワークの無線アクセス技術とは異なる、方法。
【請求項４】
請求項１から３のいずれか１項に記載の方法であって、前記サービング無線基地局（310, 510, 720）は、隣接関係情報の更新を求める要求を、前記他の無線アクセスネットワークの前記無線基地局（321, 521, 711）へ送信する、方法。
【請求項５】
請求項１から４のいずれか１項に記載の方法であって、前記無線デバイス（390, 590, 790）は、第２の無線アクセスネットワークの第２の無線基地局（312, 512, 721）によるサービスを更に受ける、方法。
【請求項６】
請求項５に記載の方法であって、前記第２の無線基地局（312, 512, 721）は、ユーザデータで前記無線デバイス（390, 590, 790）にサービスを行い、前記サービング無線基地局（310, 510, 720）は、制御データのみで前記無線デバイス（390, 590, 790）にサービスを行う、方法。
【請求項７】
請求項５又は６に記載の方法であって、前記測定報告は、前記第２の無線基地局（312, 512, 721）から受信される、方法。
【請求項８】
請求項５から７のいずれか１項に記載の方法であって、前記第１の無線アクセスネットワークの無線アクセス技術は、前記第２の無線アクセスネットワークの無線アクセス技術とは異なる、方法。
【請求項９】
請求項５から８のいずれか１項に記載の方法であって、前記サービング無線基地局（310, 510, 720）は、隣接関係情報の更新を求める要求を、前記第２の無線基地局（312, 512, 721）へ送信する、方法。
【請求項１０】
請求項１から９のいずれか１項に記載の方法であって、前記サービング無線基地局（310, 510, 720）と前記無線デバイス（390, 590, 790）との間のコネクションは、無線リソース制御（ＲＲＣ）コネクションである、方法。
【請求項１１】
請求項１から１０のいずれか１項に記載の方法であって、前記他の無線アクセスネットワーク内の前記無線基地局（321, 521, 711）が、前記少なくとも１つの隣接無線基地局（311, 312, 320, 330, 522, 512, 530, 721, 722, 730）に知られていない場合、前記サービング無線基地局（310, 510, 720）は前記少なくとも１つの隣接無線基地局（311, 312, 320, 330, 522, 512, 530, 721, 722, 730）から否定応答を受信する、方法。
【請求項１２】
請求項１から１１のいずれか１項に記載の方法であって、前記測定報告は、前記他の無線基地局内の前記無線基地局（321, 521, 711）の非固有のアイデンティティを含み、前記方法は、
‐前記サービング無線基地局（310, 510, 720）の前記少なくとも１つの隣接無線基地局（311, 312, 320, 330, 522, 512, 530, 721, 722, 730）から、前記少なくとも１つの隣接無線基地局（311, 312, 320, 330, 522, 512, 530, 721, 722, 730）に関連付けられた、前記無線基地局の非固有のアイデンティティを受信する工程と、
‐前記受信された測定報告において示されたアイデンティティと同じ非固有のアイデンティティを報告する前記隣接無線基地局へ、前記識別要求を送信する工程と、
を更に含む又は開始する、方法。
【請求項１３】
請求項１２に記載の方法であって、前記少なくとも１つの隣接無線基地局（311, 312, 320, 330, 522, 512, 530, 721, 722, 730）から非固有のアイデンティティを受信する前記工程は、要求メッセージを介して前記サービング無線基地局（310, 510, 720）によってトリガされる、方法。
【請求項１４】
請求項１２に記載の方法であって、前記サービング無線基地局（310, 510, 720）は、前記少なくとも１つの隣接無線基地局（311, 312, 320, 330, 522, 512, 530, 721, 722, 730）に関連付けられた、無線基地局の非固有のアイデンティティを定期的に受信する、方法。
【請求項１５】
無線デバイス（390, 590, 790）にサービスを行う、第１の無線アクセスネットワークのサービング無線基地局であって、前記サービング無線基地局は、
‐測定報告を受信することと、ここで、前記測定報告は、他の無線アクセスネットワーク内の無線基地局（321, 521, 711）から前記無線デバイス（390, 590, 790）によって受信される参照信号に基づくものであり、
‐前記他の無線アクセスネットワーク内の前記無線基地局（321, 521, 711）を示す識別要求を、前記サービング無線基地局の少なくとも１つの隣接無線基地局へ送信することと、
‐受信された識別情報に基づいて、前記他の無線アクセスネットワーク内の前記無線基地局（321, 521, 711）の識別に関する情報を使用して隣接関係を確立することと、
を開始するように構成される、サービング無線基地局。
【請求項１６】
請求項１５に記載のサービング無線基地局であって、請求項２から１４のいずれか１項に記載の方法を実行するように構成される、サービング無線基地局。
【請求項１７】
少なくとも１つのプロセッサに実行されると当該少なくとも１つのプロセッサに、請求項１から１４のいずれか１項に記載の方法を実行させる命令を含むコンピュータプログラム。
【請求項１８】
請求項１７に記載のコンピュータプログラムを含むコンピュータ読み取り可能記憶媒体。
【国際調査報告】
2021505053.tif 000018
2021505053.tif 000019